(57)【要約】【課題】スタジオ装置（親局装置）から複数の送信所（中継装置）に対し、放送電波の出力制御を個別にかつ容易に指示する。【解決手段】スタジオ装置Ａでは、多重装置Ａ２にてＩＳＤＢ−Ｔ放送ＴＳを生成する際に、ＮＳＩ生成部Ａ３で生成されるＮＳＩを放送ＴＳのＩＩＰに記述する。ここで、ある中継局に対して出力制御要請があった場合、その中継局ＩＤをＮＳＩ生成部Ａ３にてＮＳＩのequipment_idとして記述する。送信所Ｂでは、制御器Ｂ２において、スタジオ装置Ａから送信されるＩＳＤＢ−Ｔ放送ＴＳからＩＩＰを抽出してＮＳＩを検出し、その中から中継局ＩＤの記述を検出する。そして、予め付与された中継局ＩＤと比較照合し、一致するＩＤがあるか否かを判定し、一致するＩＤがある場合には、送信機Ｂ４に対して出力の停止を選択的に指示する。【選択図】      図１
2008228082.tif 000002
【特許請求の範囲】
【請求項１】
地上デジタル放送の放送信号を乗せた放送電波を送出する親局装置と、
それぞれ前記放送電波を中継伝送するもので、予め識別情報が個別に付与される複数の中継装置と
を具備し、
前記親局装置は、前記複数の中継装置の内、出力制御すべき中継装置を指定する指定手段と、前記放送信号中に前記指定手段で指定された中継装置の識別情報を付加する付加手段とを備え、
前記複数の中継装置それぞれは、前記予め個別に付与される識別情報を登録する登録手段と、前記放送電波を受信して得られる放送信号から前記識別情報を抽出する抽出手段と、この抽出手段で抽出された識別情報中に前記登録手段に登録されている識別情報が存在するか否かを判断する判断手段と、この判断手段で存在すると判断されたときは所定の出力制御を行い、存在しないと判断されたときは定常状態とする制御手段とを備えることを特徴とする地上デジタル放送システム。
【請求項２】
前記放送信号は、ＩＳＤＢ−Ｔ（Integrated Services Digital Broadcasting for Terrestrial：地上デジタル放送）の標準化方式で規定される信号であり、
前記付加手段は、前記標準化方式で規定される放送ＴＳ（Transport Stream：伝送ストリーム）のＩＩＰ（ISDB-T Information Packet）に記述されるＮＳＩ（Network Service Information：ネットワークサービス情報）のequipment_id（装置識別情報）として前記指定手段で指定される中継装置の識別情報を記述することを特徴とする請求項１記載の地上デジタル放送システム。
【請求項３】
前記放送信号は、ＩＳＤＢ−Ｔ（Integrated Services Digital Broadcasting for Terrestrial：地上デジタル放送）の標準化方式で規定される信号であり、
前記付加手段は、前記標準化方式で規定される放送ＴＳ（Transport Stream：伝送ストリーム）のＡＣ（Auxiliary Carrier）領域に多重される、ＩＩＰ（ISDB-T Information Packet）に記述されるＮＳＩ（Network Service Information：ネットワークサービス情報）のequipment_id（装置識別情報）として前記指定手段で指定される中継装置の識別情報を記述することを特徴とする請求項１記載の地上デジタル放送システム。
【請求項４】
親局装置から地上デジタル放送の放送信号を乗せて送出される放送電波を、予め識別情報が個別に付与された複数の中継装置により中継伝送する地上デジタル放送システムに用いられ、
前記親局装置にて、前記複数の中継装置の内、出力制御すべき中継装置の指定を受けて、前記放送信号中に前記指定された中継装置の識別情報を付加し、
前記複数の中継装置それぞれにて、前記予め個別に付与される識別情報を登録しておき、前記放送電波を受信して得られる放送信号から前記識別情報を抽出し、抽出された識別情報中に前記登録されている識別情報が存在するか否かを判断し、存在すると判断されたときは所定の出力制御を行い、存在しないと判断されたときは定常状態とすることを特徴とする地上デジタル放送システムの中継装置制御方法。
【請求項５】
前記放送信号は、ＩＳＤＢ−Ｔ（Integrated Services Digital Broadcasting for Terrestrial：地上デジタル放送）の標準化方式で規定される信号であり、
前記親局装置では、前記標準化方式で規定される放送ＴＳ（Transport Stream：伝送ストリーム）のＩＩＰ（ISDB-T Information Packet）に記述されるＮＳＩ（Network Service Information：ネットワークサービス情報）のequipment_id（装置識別情報）として前記指定される中継装置の識別情報を記述することを特徴とする請求項４記載の地上デジタル放送システムの中継装置制御方法。
【請求項６】
前記放送信号は、ＩＳＤＢ−Ｔ（Integrated Services Digital Broadcasting for Terrestrial：地上デジタル放送）の標準化方式で規定される信号であり、
前記親局装置では、前記標準化方式で規定される放送ＴＳ（Transport Stream：伝送ストリーム）のＡＣ（Auxiliary Carrier）領域に多重されるＩＩＰ（ISDB-T Information Packet）に記述されるＮＳＩ（Network Service Information：ネットワークサービス情報）のequipment_id（装置識別情報）として前記指定される中継装置の識別情報を記述することを特徴とする請求項４記載の地上デジタル放送システムの中継装置制御方法。
【請求項７】
地上デジタル放送の放送信号を乗せた放送電波を送出するもので、予め識別情報が個別に付与される複数の中継装置がその放送電波を受けて中継伝送する地上デジタル放送システムの親局装置であって、
前記複数の中継装置の内、出力制御すべき中継装置を指定する指定手段と、
前記放送信号中に前記指定手段で指定された中継装置の識別情報を付加する付加手段と
を具備することを特徴とする地上デジタル放送システムの親局装置。
【請求項８】
前記放送信号は、ＩＳＤＢ−Ｔ（Integrated Services Digital Broadcasting for Terrestrial：地上デジタル放送）の標準化方式で規定される信号であり、
前記付加手段は、前記標準化方式で規定される放送ＴＳ（Transport Stream：伝送ストリーム）のＩＩＰ（ISDB-T Information Packet）に記述されるＮＳＩ（Network Service Information：ネットワークサービス情報）のequipment_id（装置識別情報）として前記指定される中継装置の識別情報を記述することを特徴とする請求項７記載の地上デジタル放送システムの親局装置。
【請求項９】
前記放送信号は、ＩＳＤＢ−Ｔ（Integrated Services Digital Broadcasting for Terrestrial：地上デジタル放送）の標準化方式で規定される信号であり、
前記付加手段は、前記標準化方式で規定される放送ＴＳ（Transport Stream：伝送ストリーム）のＡＣ（Auxiliary Carrier）領域に多重されるＩＩＰ（ISDB-T Information Packet）に記述されるＮＳＩ（Network Service Information：ネットワークサービス情報）のequipment_id（装置識別情報）として前記指定される中継装置の識別情報を記述することを特徴とする請求項７記載の地上デジタル放送システムの親局装置。
【請求項１０】
親局装置から送出される地上デジタル放送の放送信号を乗せた放送電波を中継伝送する地上デジタル放送システムの複数の中継装置の一つとして用いられ、予め識別情報が個別に付与される中継装置であって、
前記親局側で複数の中継装置の内、出力制御すべき中継装置の指定を受けて、前記放送信号中に前記指定された中継装置の識別情報が付加されるとき、
前記予め個別に付与される識別情報を登録する登録手段と、
前記放送電波を受信して得られる放送信号から前記識別情報を抽出する抽出手段と、
この抽出手段で抽出された識別情報中に前記登録手段に登録されている識別情報が存在するか否かを判断する判断手段と、
この判断手段で存在すると判断されたときは所定の出力制御を行い、存在しないと判断されたときは定常状態とする制御手段と
を具備することを特徴とする地上デジタル放送システムの中継装置。
【請求項１１】
前記放送信号は、ＩＳＤＢ−Ｔ（Integrated Services Digital Broadcasting for Terrestrial：地上デジタル放送）の標準化方式で規定される信号であり、
前記抽出手段は、前記標準化方式で規定される放送ＴＳ（Transport Stream：伝送ストリーム）のＩＩＰ（ISDB-T Information Packet）に記述されるＮＳＩ（Network Service Information：ネットワークサービス情報）のequipment_id（装置識別情報）として記述される識別情報を抽出することを特徴とする請求項１０記載の地上デジタル放送システムの中継装置。
【請求項１２】
前記放送信号は、ＩＳＤＢ−Ｔ（Integrated Services Digital Broadcasting for Terrestrial：地上デジタル放送）の標準化方式で規定される信号であり、
前記抽出手段は、前記標準化方式で規定される放送ＴＳ（Transport Stream：伝送ストリーム）のＡＣ（Auxiliary Carrier）領域に多重されるＩＩＰ（ISDB-T Information Packet）に記述されるＮＳＩ（Network Service Information：ネットワークサービス情報）のequipment_id（装置識別情報）として記述される識別情報を抽出することを特徴とする請求項１０記載の地上デジタル放送システムの中継装置。
【発明の詳細な説明】
【技術分野】
【０００１】
本発明は、親局装置から地上デジタル放送の放送信号を乗せて送出される放送電波を、送信所、中継所の中継装置によりそれぞれ中継伝送する地上デジタル放送システムに関する。
【背景技術】
【０００２】
現在運用されている地上波デジタル放送システムでは、現在、ＴＳ（Transport Stream:送信ストリーム）伝送方式のＳＴＬ／ＴＴＬ（Studio to Transmitter Link / Transmitter to Transmitter Link：スタジオ・送信所間回線／送信所・送信所間回線）ネットワーク、ＩＦ（Intermediate Frequency：中間周波帯）伝送方式のＴＴＬネットワーク、放送波受信・再送信ネットワークによって所要のサービスエリアをカバーしている。ここで、アナログ放送をデジタル放送に切り替えるに当たり、周波数の有効利用を図るため、当初の計画ではＳＦＮ（Single Frequency Network：単一周波数ネットワーク）の採用が図られていた。ところが、実際には、送信所及び中継所間の距離を十分に近づけることが困難で、両者の共通する受信エリアで２つの信号のずれがガードインターバルを越えてしまい、「受信エリア内にて２つの信号のずれをガードインターバル以内とする」というＳＦＮの一つの条件を満たすことができない。また、中継局において、受信アンテナと送信アンテナとの間のアイソレーションを確保することが困難なケースが多く、これもＳＦＮ実現の障害ともなっている。
【０００３】
以上のことから、当初計画されたＳＦＮによる放送網の構築が技術的に困難な状況にあり、ＭＦＮ（Multi-Frequency Network：マルチ周波数ネットワーク）で主要なサービスエリアをカバーしている。但し、上記の問題に対して、種々の解決策が提案されており、いずれＳＦＮが実現される。このとき、ＭＦＮで使用していた周波数は空きチャンネルとなり、周波数の有効利用が望まれる。
【０００４】
尚、サービスエリア内の受信レベルを一定に維持する技術として、特許文献１にＯＦＤＭ変調されたテレビジョン信号をステップアッテネータでレベル調整し、電力増幅器で電力増幅して送信アンテナから送出するデジタルテレビ放送装置において、電波強度測定器によって送信アンテナから送出される送信信号の受信レベルを測定し、その測定結果に基づいてステップアッテネータにより変調信号のレベルを調整し、送出される送信信号の出力を一定に制御することが記載されている。
【０００５】
ところで、上記ＳＦＮの運用下では、各送信所、中継所において、サービスエリア内の受信レベルが一定になるように送信信号の出力を制御したとしても、実際には電波環境の変化（気象変化、高層ビル等による地形変化）によって、放送電波が所用のサービスエリアを越えてしまい、隣接エリアの受信環境に悪影響を与えることがある。また、上記ＭＦＮの運用下であっても、放送事業者に与えられる免許はサービスエリアが特定されており、このサービスエリアを越えて放送することは基本的に許可されていない。
【０００６】
これを改善するためには、各サービスエリアにおいて、隣接エリアからの放送電波による受信状況を監視し、その受信状況が劣化した場合に、その原因となる中継所の出力低下あるいは停止を個別に制御しなければならない。このような多数の中継所、特に山間地等の僻地にある中継所の中継装置を個別にかつ早急に出力制御することは非常に困難な作業となる。従来の放送中継伝送では、通信回線を用いたリモート制御によって緊急対応がなされるケースが多いが、通信回線を全ての中継装置に確保し、維持管理することはコスト的に問題が大きい。
【特許文献１】特開２０００−３２４３６１公報
【発明の開示】
【発明が解決しようとする課題】
【０００７】
以上述べたように、従来の地上デジタル放送システムでは、多数の中継装置に対し、放送電波の出力制御を個別にかつ容易に指示することは極めて困難な状況にある。
【０００８】
本発明は上記の課題を解決すべく、親局から複数の中継装置に対し、通信回線を利用することなく、放送電波の出力制御を個別にかつ容易に指示することのできる地上デジタル放送システムとこのシステムに用いられる中継装置制御方法、親局装置及び中継装置を提供することを目的とする。
【課題を解決するための手段】
【０００９】
上記問題を解決するために、本発明に係る地上デジタル放送システムは、地上デジタル放送の放送信号を乗せた放送電波を送出する親局装置と、それぞれ前記放送電波を中継伝送するもので、予め識別情報が個別に付与される複数の中継装置とを具備し、前記親局装置は、前記複数の中継装置の内、出力制御すべき中継装置を指定する指定手段と、前記放送信号中に前記指定手段で指定された中継装置の識別情報を付加する付加手段とを備え、前記複数の中継装置それぞれは、前記予め個別に付与される識別情報を登録する登録手段と、前記放送電波を受信して得られる放送信号から前記識別情報を抽出する抽出手段と、この抽出手段で抽出された識別情報中に前記登録手段に登録されている識別情報が存在するか否かを判断する判断手段と、この判断手段で存在すると判断されたときは所定の出力制御を行い、存在しないと判断されたときは定常状態とする制御手段とを備えることを特徴とする。
【００１０】
また、本発明に係る地上デジタル放送システムの中継装置制御方法は、親局装置から地上デジタル放送の放送信号を乗せて送出される放送電波を、予め識別情報が個別に付与された複数の中継装置により中継伝送する地上デジタル放送システムに用いられ、前記親局装置にて、前記複数の中継装置の内、出力制御すべき中継装置の指定を受けて、前記放送信号中に前記指定された中継装置の識別情報を付加し、前記複数の中継装置それぞれにて、前記予め個別に付与される識別情報を登録しておき、前記放送電波を受信して得られる放送信号から前記識別情報を抽出し、抽出された識別情報中に前記登録されている識別情報が存在するか否かを判断し、存在すると判断されたときは所定の出力制御を行い、存在しないと判断されたときは定常状態とすることを特徴とする。
【００１１】
また、本発明に係る地上デジタル放送システムの親局装置は、地上デジタル放送の放送信号を乗せた放送電波を送出するもので、予め識別情報が個別に付与される複数の中継装置がその放送電波を受けて中継伝送する地上デジタル放送システムに用いられ、前記複数の中継装置の内、出力制御すべき中継装置を指定する指定手段と、前記放送信号中に前記指定手段で指定された中継装置の識別情報を付加する付加手段とを具備することを特徴とする。
【００１２】
また、本発明に係る地上デジタル放送システムの中継装置は、親局装置から送出される地上デジタル放送の放送信号を乗せた放送電波を中継伝送する地上デジタル放送システムの複数の中継装置の一つとして用いられ、予め識別情報が個別に付与される中継装置であって、前記親局側で複数の中継装置の内、出力制御すべき中継装置の指定を受けて、前記放送信号中に前記指定された中継装置の識別情報が付加されるとき、前記予め個別に付与される識別情報を登録する登録手段と、前記放送電波を受信して得られる放送信号から前記識別情報を抽出する抽出手段と、この抽出手段で抽出された識別情報中に前記登録手段に登録されている識別情報が存在するか否かを判断する判断手段と、この判断手段で存在すると判断されたときは所定の出力制御を行い、存在しないと判断されたときは定常状態とする制御手段とを具備することを特徴とする。
【００１３】
上記構成による地上デジタル放送システムとこのシステムに用いられる中継装置制御方法、親局装置及び中継装置において、前記放送信号は、ＩＳＤＢ−Ｔ（Integrated Services Digital Broadcasting for Terrestrial：地上デジタル放送）の標準化方式で規定される信号であり、前記識別情報の付加は、前記標準化方式で規定される放送ＴＳ（Transport Stream：伝送ストリーム）のＩＩＰ（ISDB-T Information Packet）に記述されるＮＳＩ（Network Service Information：ネットワークサービス情報）のequipment_id（装置識別情報）として前記指定される中継装置の識別情報を記述する、あるいは、前記標準化方式で規定される放送ＴＳ（Transport Stream：伝送ストリーム）のＡＣ（Auxiliary Carrier）領域に多重されるＩＩＰ（ISDB-T Information Packet）に記述されるＮＳＩ（Network Service Information：ネットワークサービス情報）のequipment_id（装置識別情報）として前記指定される中継装置の識別情報を記述することを特徴とする。
【００１４】
すなわち、本発明では、親局装置にて、複数の中継装置の内、出力制御すべき中継装置の指定を受けて、放送信号中に指定された中継装置の識別情報を付加し、中継装置にて、放送電波を受信して得られる放送信号から識別情報を抽出し、抽出された識別情報中に自己の登録識別情報が存在するか否かを判断し、存在すると判断されたときは所定の出力制御を行い、存在しないと判断されたときは定常状態とするようにしているので、親局装置から複数の中継装置それぞれの出力制御を一括して処理することが可能となる。
【発明の効果】
【００１５】
本発明によれば、親局から複数の中継装置に対し、放送電波の出力制御を個別にかつ容易に指示することのできる地上デジタル放送システムとこのシステムに用いられる中継装置制御方法、親局装置及び中継装置を提供することができる。
【発明を実施するための最良の形態】
【００１６】
以下、図面を参照して本発明の実施の形態を詳細に説明する。
【００１７】
（第１の実施形態）
図１は本発明に係る地上デジタル放送システムの第１の実施形態を示すブロック図である。尚、ここでは、地上デジタル放送として、ＩＳＤＢ−Ｔ（Integrated Services Digital Broadcasting for Terrestrial：地上デジタル放送総合サービス）の標準化方式が採用され、その標準化方式で規定される放送信号が取り扱われるものとする。また、ここでは親局装置としてスタジオ装置Ａ、中継装置として送信所（中継局の一つ）Ｂを想定する。
【００１８】
図１において、スタジオ装置Ａでは、オンエアする複数の系統（図では２系統）の映像・音声信号をそれぞれエンコーダＡ１−１，Ａ１−２で圧縮符号化して放送ＴＳ（Transport Steam：伝送ストリーム）に変換する。そして、多重装置Ａ２にて、各系統の放送ＴＳを多重すると共に、この多重された放送ＴＳのＩＩＰ（ISDB-T Information Packet）にＮＳＩ（Network Service Information：ネットワークサービス情報）生成部Ａ３で生成されるＮＳＩを記述することでＩＳＤＢ−Ｔ放送ＴＳを生成する。このＩＳＤＢ−Ｔ放送ＴＳはＳＴＬ（Studio to Transmitter Link）変調器Ａ４でＳＴＬ変調され、ＳＴＬネットワークを介して送信所Ｂに送出される。ここで、上記ＮＳＩ生成部Ａ３は、遅延時間調整を要する中継局、送信出力の制御対象とする中継局が指定されると、それぞれの中継局に割り当てられている中継局ＩＤ（中継局に配置される中継装置を識別する識別符号の意）をＮＳＩにequipment_idとして記述し、遅延時間調整を要する場合にはその調整時間を記述する。
【００１９】
送信所Ｂでは、スタジオ装置Ａから送出されるＳＴＬ信号を受信してＳＴＬ復調器Ｂ１にてＩＳＤＢ−Ｔ放送ＴＳを復調する。この復調信号は制御器Ｂ２に供給されると共に、ＯＦＤＭ（Orthogonal Frequency Division Multiplex：直交周波数分割多重）変調器Ｂ３でＯＦＤＭ変調されて送信機Ｂ４に送られる。
【００２０】
制御器Ｂ２において、復調された放送ＴＳはＩＩＰ・ＮＳＩ検出部Ｂ２１に供給され、ここでＩＩＰに記述されるＮＳＩが検出される。このＮＳＩは中継局ＩＤ検出部Ｂ２２に供給され、ここでＮＳＩにequipment_idとして記述される中継局ＩＤが検出される。この中継局ＩＤは判定制御部Ｂ２３に送られる。この判定制御部Ｂ２３は、中継局ＩＤ設定部Ｂ２４に設定される、予め個別に付与された中継局ＩＤと検出された中継局ＩＤとを照合して一致する中継局ＩＤの有無、及び遅延時間の調整の有無を判定し、その判定結果に対応する制御信号（出力のＯＮ／ＯＦＦ、遅延時間の調整）を生成して送信機Ｂ４に送る。
【００２１】
送信機Ｂ４はＯＦＤＭ変調器Ｂ３でＯＦＤＭ変調されたデジタル放送信号をＲＦ信号に周波数変換し、所定の電力に増幅してアンテナＢ５から管轄サービルエリアに向けて送信する。その送信出力は制御器Ｂ２で生成される制御信号に基づいて遅延調整及びオン・オフ制御される。
【００２２】
上記構成において、以下、スタジオ装置Ａから送信所Ｂに出力制御を指示する場合の処理動作を説明する。
【００２３】
スタジオ装置Ａでは、多重装置Ａ２にてＩＳＤＢ−Ｔ放送ＴＳを生成する際に、ＮＳＩ生成部Ａ３で生成されるＮＳＩを放送ＴＳのＩＩＰに記述する。このＮＳＩにはequipment_idが記述される。このequipment_idの本来の目的は、遅延時間調整を行う中継局を指定することにあり、遅延時間調整を要さない中継局のＩＤは記述されない。そこで、出力制御対象の中継局を指定する場合に、このequipment_idを利用する。すなわち、ある中継局に対して出力制御要請があった場合、その中継局ＩＤをＮＳＩ生成部Ａ３にてＮＳＩのequipment_idとして記述する。この場合、遅延時間調整は行わないので、調整時間を指定せず（または０秒とする）、遅延時間調整を指定する中継局ＩＤのequipment_idと区別する。結果的に、遅延時間調整を行う中継局と、出力制御を行う中継局とを記述することになる。
【００２４】
具体的には、ＮＳＩに記述するequipment_idは、遅延時間を調整する送信所に加えて、出力を停止させる送信所も記述する。遅延時間を調整するが出力の制御は行わない送信所の場合は、equipment_idとtime_offsetを記述する。出力の制御を行わない送信所については、遅延時間調整の有無に関わらず、equipment_idを記述しない。遅延時間の調整をせず、出力の制御のみ行う送信所の場合は、equipment_idを記述し、time_offsetは０にして遅延時間の調整を行わないようにする。
【００２５】
送信所Ｂでは、制御器Ｂ２において、スタジオ装置Ａから送信されるＩＳＤＢ−Ｔ放送ＴＳからＩＩＰを抽出してＮＳＩを検出し、その中から中継局ＩＤの記述を検出する。そして、予め付与された中継局ＩＤと比較照合し、一致するＩＤがあるか否かを判定し、一致するＩＤがある場合には、さらに遅延時間の調整の有無を判定して、送信機Ｂ４に対して遅延時間の調整、出力の停止を選択的に指示する。
【００２６】
制御部Ｂ２は、具体的には図２に示すフローチャートに従って制御する。
【００２７】
まず、ＩＳＤＢ−Ｔ放送ＴＳを入力すると、ＩＩＰを抽出し（ステップＳ１１）、抽出されたＩＩＰからＮＳＩを検出し（ステップＳ１２）、検出されたＮＳＩの記載内容からequipment_id及びtime_offsetを検出する（ステップＳ１３）。続いて、equipment_idに示される中継局ＩＤの中に設定部Ｂ２４に設定された中継局ＩＤがあるか判断し（ステップＳ１４）、さらにtime_offsetが示す調整時間が０か判断する（ステップＳ１５）。調整時間が０の場合は、出力を停止するように送信機Ｂ４を制御して、一連の処理を終了する。また、調整時間が０ではない場合には、その調整時間を送信機Ｂ４に送り、遅延時間を調整して一連の処理を終了する（ステップＳ１７）。ステップＳ１４で設定中継局ＩＤが検出されなかった場合には、そのまま処理を中止する。
【００２８】
以上のように、本実施形態のシステムによれば、ＩＳＤＢ−Ｔの標準化方式で規定される放送ＴＳのＩＩＰに記述されるＮＳＩの遅延時間調整のためのequipment_idを利用して、スタジオ装置Ａにて出力制御対象の中継局ＩＤを放送信号に乗せて伝送するようにしているので、送信所Ｂ側で受信信号からそのequipment_idとして記載される中継局ＩＤに自己設定のＩＤがあるか判定して、その判定結果に応じて送信機Ｂ４の出力を制御することが可能となる。したがって、ＳＦＮを構築した場合、フィールドにて受信障害が起こったときに、特定の中継局の送信波を停止する手段として用いることができる。また、ＭＦＮにおいても、所定のエリアを越えての放送を停止させることができる。この場合、放送信号における既存の情報を利用しているため、別途通信回線を確保する必要がなく、極めて容易に実現することができる。
【００２９】
尚、上記実施形態では、送信所が１つの場合で説明したが、複数の場合でも個々の送信所を同様に構成することで、個別の出力制御が可能である。
【００３０】
（第２の実施形態）
図３は、本発明に係る第２の実施形態として、第１の実施形態のシステム構成に加え、さらにスタジオ装置Ａから送信所Ｂを介して下流の中継局Ｃの出力制御を指定する場合の構成を示すブロック図である。尚、図３において、図１と同一部分には同一符号を付して示し、ここでは重複する説明を省略する。
【００３１】
図３において、スタジオ装置Ａには、ＩＳＤＢ−Ｔ放送ＴＳ多重装置Ａ２の後段にＮＳＩ・ＡＣ多重装置Ａ５を追加し、多重化装置Ａ２で生成されたＩＳＤＢ−Ｔ放送ＴＳのＡＣ領域にＮＳＩ生成部Ａ３で生成されたＮＳＩを多重し、この多重信号をＳＴＬ変調器Ａ４に送る。これにより、ＩＳＤＢ−Ｔ放送ＴＳのＩＩＰに多重されるＮＳＩと同じものがＡＣ領域にも多重される。ここで、上記ＮＳＩ生成部Ａ３において、遅延時間調整を要する中継局、送信出力の制御対象とする中継局が指定されると、それぞれの中継局に割り当てられている中継局ＩＤ（中継局に配置される中継装置を識別する識別符号の意）をＮＳＩにequipment_idとして記述し、遅延時間調整を要する場合にはその調整時間を記述する点は、第１の実施形態と全く同様である。
【００３２】
一方、送信所Ｂは、ＯＦＤＭ変調器Ｂ３で得られたＯＦＤＭ放送信号をＴＴＬ（Transmitter to Transmitter Link）変調するＴＴＬ変調器Ｂ６を備え、このＴＴＬ変調器Ｂ６でＴＴＬ変調された放送信号はＴＴＬネットワークを介して中継局Ｃに送出される。中継局Ｃでは、送信所Ｂから送出されるＴＴＬ信号を受信して、ＴＴＬ復調器Ｃ１にてＯＦＤＭ信号を復調し、この復調信号をＡＣ検出器Ｃ２及び送信機Ｃ３に入力する。ＡＣ検出器Ｃ２は、復調されたＯＦＤＭ信号を周波数変換部Ｃ２１でベースバンドに変換し、ＡＤ変換部Ｃ２２でデジタル信号に変換した後、ＦＦＴ処理部Ｃ２３によってフーリエ変換を施し、ＡＣ検出部Ｃ２４にて特定キャリアに割り当てられたＡＣ領域の信号を検出する。ここで、検出されたＡＣ領域の信号は制御器Ｃ４に送られる。
【００３３】
上記制御部Ｃ４では、ＡＣ検出器Ｃ２で検出されたＡＣ領域の信号を受け取ると、このＡＣ領域の信号はＮＳＩ検出部Ｃ４１に送られ、ここでＡＣ領域からＮＳＩが検出される。このＮＳＩは中継局ＩＤ検出部Ｃ４２に供給され、ここでＮＳＩにequipment_idとして記述される中継局ＩＤが検出される。この中継局ＩＤは判定制御部Ｃ４３に送られる。この判定制御部Ｃ４３は、中継局ＩＤ設定部Ｃ４４に設定される、予め個別に付与された中継局ＩＤと検出された中継局ＩＤとを照合して一致する中継局ＩＤの有無を判定し、その判定結果に対応する制御信号（出力のＯＮ／ＯＦＦを生成して送信機Ｃ３に送る。
【００３４】
送信機Ｃ３はＴＴＬ復調器Ｃ１で復調されたＯＦＤＭ放送信号をＲＦ信号に周波数変換し、所定の電力に増幅してアンテナＣ５から管轄サービルエリアに向けて送信する。その送信出力は制御器Ｃ４で生成される制御信号に基づいてオン・オフ制御される。
【００３５】
上記構成において、以下、スタジオ装置Ａから中継局Ｃに出力制御を指示する場合の処理動作を説明する。
【００３６】
スタジオ装置Ａでは、多重装置Ａ２にてＩＳＤＢ−Ｔ放送ＴＳを生成する際に、ＮＳＩ生成部Ａ３で生成されるＮＳＩを放送ＴＳのＩＩＰに記述すると共に、ＮＳＩ・ＡＣ多重装置Ａ５にて、ＩＩＰに記述したＮＳＩをＮＳＩ生成部Ａ３から受け取って放送ＴＳのＡＣ領域に多重する。先の実施形態と同様に、ＮＳＩには、equipment_idとして、遅延時間調整を行う送信所、中継局と出力制御を行う送信所、中継局とを記述する。具体的には、ＮＳＩに記述するequipment_idは、遅延時間を調整する送信所、中継局に加えて、出力を停止させる送信所、中継局も記述する。遅延時間を調整するが出力の制御は行わない送信所、中継局の場合は、equipment_idとtime_offsetを記述する。出力の制御を行わない送信所、中継局については、遅延時間調整の有無に関わらず、equipment_idを記述しない。遅延時間の調整をせず、出力の制御のみ行う送信所、中継局の場合は、equipment_idを記述し、time_offsetは０にして遅延時間の調整を行わないようにする。
【００３７】
送信所Ｂでは、制御器Ｂ２において、スタジオ装置Ａから送信されるＩＳＤＢ−Ｔ放送ＴＳからＩＩＰを抽出してＮＳＩを検出し、その中から中継局ＩＤの記述を検出する。そして、予め付与された中継局ＩＤと比較照合し、一致するＩＤがあるか否かを判定し、一致するＩＤがある場合には、さらに遅延時間の調整の有無を判定して、送信機Ｂ４に対して遅延時間の調整、出力の停止を選択的に指示する。
【００３８】
ここで、送信所Ｂにおいて、ＯＦＤＭ変調器Ｂ３では、ＳＴＬ復調器Ｂ１で復調されたＩＳＤＢ−Ｔ放送ＴＳから送信所宛のＩＩＰを分離するため、ＩＩＰ中に多重されたＮＳＩは後段の中継局Ｃには伝送されない。しかしながら、このＩＩＰ中のＮＳＩと同じ情報がＡＣ領域に多重されており、ＯＦＤＭ放送信号はＴＴＬ伝送によって中継局Ｃに送られる。
【００３９】
そこで、中継局Ｃでは、ＴＴＬ復調器Ｃ１で復調されたＯＦＤＭ放送信号をＡＣ検出器Ｃ２に送る。このＡＣ検出器Ｃ２では、ＯＦＤＭ放送信号を周波数変換部Ｃ２１でＩＦ帯またはベースバンドに変換し、Ａ/Ｄ変換してＦＦＴ処理することで周波数軸信号を得て、この周波数軸信号からＡＣ領域の信号を検出する。ここで検出されたＡＣ領域の信号は制御部Ｃ４に送られ、ＡＣ領域からＮＳＩの検出がなされる。以後、送信所Ｂの場合と同様に、検出されたＮＳＩの中から中継局ＩＤの記述を検出し、予め付与された中継局ＩＤと比較照合し、一致するＩＤがあるか否かを判定する。そして、一致するＩＤがある場合には、さらに遅延時間の調整の有無を判定して、送信機Ｃ３に対して遅延時間の調整、出力の停止を選択的に指示する。尚、上記中継局Ｃにおける制御部Ｃ４の具体的な制御は、図２と同様であるので、ここではその説明を割愛する。
【００４０】
上記構成によるシステムによれば、ＩＳＤＢ−Ｔ放送ＴＳのＩＩＰに記述されるＮＳＩだけでなく、同じＮＳＩをＡＣ領域にも多重するようにしているので、途中の中継段でＩＩＰが削除されるような場合でも、その下流の中継局に出力制御対象を示したＮＳＩを放送信号に乗せて送ることができ、第１の実施形態と同様に、ＳＦＮを構築した場合、フィールドにて受信障害が起こったときに、特定の中継局の送信波を停止する手段として用いることができる。また、ＭＦＮにおいても、所定のエリアを越えての放送を停止させることができる。この場合、放送信号における既存の情報を利用しているため、別途通信回線を確保する必要がなく、極めて容易に実現することができる。
【００４１】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４２】
【図１】本発明に係る地上デジタル放送システムの第１の実施形態を示すブロック図。
【図２】図１に示す送信所に用いられる制御部の具体的な制御内容を示すフローチャート。
【図３】本発明に係る地上デジタル放送システムの第２の実施形態を示すブロック図。
【符号の説明】
【００４３】
Ａ…スタジオ装置、Ａ１−１，Ａ１−２…エンコーダ、Ａ２…ＩＳＤＢ−Ｔ放送ＴＳ多重装置、Ａ３…ＮＳＩ生成部、Ａ４…ＳＴＬ変調器、Ａ５…ＮＳＩ・ＡＣ多重装置、Ｂ…送信所、Ｂ１…ＳＴＬ復調器、Ｂ２…制御器、Ｂ２１…ＩＩＰ・ＮＳＩ検出部、Ｂ２２…中継局ＩＤ検出部、Ｂ２３…判定制御部、Ｂ２４…中継局ＩＤ設定部、Ｂ３…ＯＦＤＭ変調器、Ｂ４…送信機、Ｂ５…アンテナ、Ｂ６…ＴＴＬ変調器、Ｃ１…ＴＴＬ復調器、Ｃ２…ＡＣ検出器、Ｃ２１…周波数変換部、Ｃ２２…ＡＤ変換部、Ｃ２３…ＦＦＴ処理部、Ｃ２４…ＡＣ検出部、Ｃ３…送信機、Ｃ４…制御器、Ｃ４１…ＮＳＩ検出部、Ｃ４２…中継局ＩＤ検出部、Ｃ４３…判定制御部、Ｃ４４…中継局ＩＤ設定部、Ｃ５…アンテナ。
【図１】
2008228082.tif 000003
【図２】
2008228082.tif 000004
【図３】
2008228082.tif 000005